(57)【要約】【課題】カラム反転駆動において電荷回収をする場合、しない場合のどちらも出力アンプにて駆動する電位差の最大値は同じであり、消費電力に着目した場合はあまり効果がない。【解決手段】本発明は、正極電位が与えられる第１のデータ線と、負極電位が与えられる第２のデータ線と、基準電圧と、前記第１のデータ線もしくは第２のデータ線の電位を比較する比較部と、前記比較部の比較結果に応じて前記第１のデータ線と第２のデータ線とを接続状態、遮断状態に制御されるスイッチと、を有する液晶表示装置のデータ線駆動回路である。【選択図】図１
2010091699.tif 000002
【特許請求の範囲】
【請求項１】
正極電位が与えられる複数の第１のデータ線と、
負極電位が与えられる複数の第２のデータ線と、
基準電圧と、前記複数の第１のデータ線に接続された第１の共通線、もしくは、前記複数の第２のデータ線に接続された第２の共通線の電位を比較する比較部と、
前記比較部の比較結果に応じて前記第１のデータ線と第２のデータ線とを接続状態、遮断状態とするよう制御されるスイッチと、
を有する液晶表示装置のデータ線駆動回路。
【請求項２】
前記比較部は、前記第１の共通線の電位と基準電圧とを比較する場合、
前記基準電圧として前記第１及び第２のデータ線の電位を平均化した電位より大きい正極基準電圧を用いる請求項１に記載のデータ線駆動回路。
【請求項３】
前記比較部は、前記第２の共通線の電位と基準電圧とを比較する場合、
前記基準電圧として前記第１及び第２のデータ線の電位を平均化した電位より小さい負極基準電圧を用いる請求項１に記載のデータ線駆動回路。
【請求項４】
前記正極基準電圧は、前記第１のデータ線の駆動範囲の中央近傍の電位である請求項２に記載のデータ線駆動回路。
【請求項５】
前記負極基準電圧は、前記第２のデータ線の駆動範囲の中央近傍の電位である請求項３に記載のデータ線駆動回路。
【請求項６】
前記正極基準電圧は、電源電圧に対して実質的に３／４の電位である請求項２に記載のデータ線駆動回路。
【請求項７】
前記負極基準電圧は、電源電圧に対して実質的に１／４の電位である請求項３に記載のデータ線駆動回路。
【請求項８】
正極電位が与えられる複数の第１のデータ線と、
負極電位が与えられる複数の第２のデータ線と、
第１の基準電圧と、前記複数の第１のデータ線に接続された第１の共通線の電位を比較する第１の比較部と、
第２の基準電圧と、前記複数の第２のデータ線に接続された第２の共通線の電位を比較する第２の比較部と、
前記第１の比較部の比較結果に応じて前記第１のデータ線と共通ノードとを接続状態、遮断状態とするよう制御される第１のスイッチと、
前記第２の比較部の比較結果に応じて前記第２のデータ線と前記共通ノードとを接続状態、遮断状態とするよう制御される第２のスイッチと、
を有する液晶表示装置のデータ線駆動回路。
【請求項９】
前記第１の基準電圧は、前記第１及び第２のデータ線の電位を平均化した電位より大きく、前記第２の基準電圧は、前記第１及び第２のデータ線の電位を平均化した電位より小さい値である請求項８に記載のデータ線駆動回路。
【請求項１０】
前記第１の基準電圧は、前記第１のデータ線の駆動範囲の中央近傍の電位であり、前記第２の基準電圧は、前記第２のデータ線の駆動範囲の中央近傍の電位である請求項８に記載のデータ線駆動回路。
【請求項１１】
前記第１の基準電圧は電源電圧に対して実質的に３／４、前記第２の基準電圧は電源電圧に対して実質的に１／４の電位である請求項８に記載のデータ線駆動回路。
【請求項１２】
正極電位が与えられる複数の第１のデータ線と、負極電位が与えられる複数の第２のデータ線とを有する液晶表示装置のデータ線駆動回路の制御方法であって、
基準電圧と、前記第１のデータ線もしくは前記第２のデータ線の電位を比較し、
比較結果に応じて前記第１のデータ線と前記第２のデータ線とを接続状態、遮断状態に制御する液晶表示装置のデータ線駆動回路の制御方法。
【発明の詳細な説明】
【技術分野】
【０００１】
本発明は、液晶表示装置のデータ線駆動回路とその制御方法に関するものである。
【背景技術】
【０００２】
一般的にマトリックスタイプの液晶ディスプレイは、行方向および列方向にそれぞれ走査線およびデータ線の交点に画素を行列配置し、各画素には薄膜トランジスタ（ＴＦＴ）等で構成されるアクティブ素子が配置されている。これらアクティブ素子のゲート電極は走査線に接続され、ドレイン電極にはデータ線が接続される。また、アクティブ素子のソース電極には、等価的に容量性負荷である液晶容量が接続されており、この液晶容量の他方は共通電極線に接続される。これらの走査線およびデータ線には、それぞれ走査線駆動回路、データ線駆動回路が接続される。
【０００３】
液晶ディスプレイは、走査線駆動回路によって走査線を上から下に向かって順番に走査することにより、各画素に配置されているアクティブ素子を介して、データ線駆動回路から液晶容量に電圧を印加する。液晶ディスプレイは液晶容量に印加された電圧に応じて、液晶分子の配列が変化し、それにより、光の透過率が変化する。
【０００４】
公知の液晶表示装置において、データ線からＴＦＴを介して液晶容量に印加される電圧（以下、画素電圧と称す）の極性は、所定の期間毎に反転する。つまり、画素は、交流的に駆動される。ここで、極性とは、液晶の共通電極線の電圧（Ｖｃｏｍ）を基準とした場合の画素電圧の正負を示す。つまり、共通電極線の電圧Ｖｃｏｍより高電位を正、低電位を負とする。
【０００５】
液晶容量の電極間の液晶は、液晶容量に対して一定の電圧印加が継続されると、分極等が発生し物理的な性質を劣化してしまう。このため、前記極性の反転は、画素を交流的に駆動することで前記劣化を防止するために必要である。この極性の反転方式は例えば、画素の駆動において、１本の走査線を走査するたびに画素電圧の極性を反転するドット反転駆動方式や、２本の走査線を走査するたびに画素電圧の極性を反転する２ラインドット反転駆動方式、１フレーム毎に走査線の極性を反転するカラム反転駆動方式などが知られている。
【０００６】
反転駆動方式において、上述したように画素電圧に印加する電圧はＶｃｏｍを中心として交流的に駆動される。このため、この駆動するための電圧範囲は大きくなってしまう。これらの電圧はデータ線駆動回路から供給され、このデータ線駆動回路は液晶ディスプレイの駆動のために大きな電力を消費する。更に、近年の液晶パネルの大型化、データ線駆動回路の多出力化に伴い、データ線駆動回路の消費電力の増大は顕著である。
【０００７】
このデータ線駆動回路の電力消費を削減する従来技術として、特許文献１の技術が開示されている。図４に特許文献１のデータ線駆動回路１を示す。図４に示すように、データ線駆動回路１は、データコラム１１〜１３と、出力アンプ２１〜２３と、マルチプレクサ３１〜３３と、外部記憶コンデンサ４０からなる。マルチプレクサ３１〜３３は、それぞれ液晶容量５１〜５３に接続されている。
【０００８】
液晶ディスプレイの極性反転時において、マルチプレクサ３１〜３３は、出力アンプ２１〜２３と液晶容量５１〜５３から切り離し、外部記憶コンデンサ４０と液晶容量５１〜５３とを接続する。これにより、データ線駆動回路１に接続されている全てのデータ線、つまり液晶容量５１〜５３が共通ノード４１に短絡される。共通ノード４１には外部記憶コンデンサ４０が接続されており、この外部記憶コンデンサ４０を介して、それぞれのデータ線の電位を中間レベルに平均化する。データ線駆動回路１は、この平均化された電位から各データ線を所望の電圧まで駆動するようにして、データ線駆動回路の負担を軽減し、消費電力を削減している。
【特許文献１】特表平９−５０４３８９号公報
【発明の開示】
【発明が解決しようとする課題】
【０００９】
カラム反転駆動において１つの走査線に着目した場合、１フレームの間、データ線の極性が反転しない。特許文献１の技術では、全データ線を短絡する。よって、この方式ではカラム反転駆動において１つの走査線に着目した場合、電荷回収レベルの期待値が１／２ＶＤＤレベルとなり、その後出力アンプにて駆動する電位差の最大値が１／２ＶＤＤとなる。これは、カラム反転駆動において電荷回収用コンデンサ（図４のコンデンサ４０に相当）を用いない場合、つまり電荷回収をしない場合の出力アンプにて駆動する電位差の最大値と同じであり、消費電力に着目した場合はあまり効果がない。
【課題を解決するための手段】
【００１０】
本発明の一態様は、正極電位が与えられる第１のデータ線と、負極電位が与えられる第２のデータ線と、基準電圧と、前記第１のデータ線もしくは第２のデータ線の電位を比較する比較部と、前記比較部の比較結果に応じて前記第１のデータ線と第２のデータ線とを接続状態、遮断状態に制御されるスイッチと、を有する液晶表示装置のデータ線駆動回路である。
【００１１】
本発明の別の態様は、正極電位が与えられる第１のデータ線と、負極電位が与えられる第２のデータ線とを有する液晶表示装置のデータ線駆動回路の駆動方法であって、基準電圧と、前記第１のデータ線もしくは第２のデータ線の電位を比較し、前記比較部の比較結果に応じて第１のデータ線と第２のデータ線とを接続状態、遮断状態に制御する液晶表示装置のデータ線駆動回路の駆動方法である。
【００１２】
本発明によれば、正極電位が与えられる第１のデータ線もしくは負極電位が与えられる第２のデータ線の電荷回収レベルを基準電圧レベルとすることができる。
【発明の効果】
【００１３】
本発明によれば、カラム反転駆動で１フレーム間におけるデータ線駆動回路の消費電力を削減することができる。
【発明を実施するための最良の形態】
【００１４】
発明の実施の形態１
以下、本発明を適用した具体的な実施の形態１について、図面を参照しながら詳細に説明する。この実施の形態１は、本発明を液晶表示装置のデータ線駆動回路に適用0したものである。図１に本実施の形態にかかる液晶表示装置１００のデータ線駆動回路１０１の構成の一例を示す。
【００１５】
図1に示すように、液晶表示装置１００は、データ線駆動回路１０１と、液晶パネル１０２とを有する。データ線駆動回路１０１は、出力アンプ１１１〜１１４と、出力スイッチ１２１〜１２４と、電荷回収スイッチ１３１〜１３４と、奇数スイッチ１４１、１４２と、偶数スイッチ１５１、１５２と、コンパレータ１６１、１６２と、制御回路１７１、１７２と、極性切替スイッチ１８０とを有する。液晶パネル１０２は、薄膜トランジスタ（ＴＦＴ）２１１〜２１４と、画素（液晶）容量２２１〜２２４とを有する。ＴＦＴ２１１〜２１４のゲートは、それぞれゲート線２４１と接続される。ＴＦＴ２１１〜２１４のドレインソースの一方が、それぞれデータ線２３１〜２３４と、ドレインソースの他方がそれぞれ画素容量２２１〜２２４の一方の端子と接続される。ここで、データ線２３１、２３３がデータ線駆動回路１０１の奇数出力にあたり、データ線２３２、２３４がデータ線駆動回路１０１の偶数出力にあたる。画素容量２２１〜２２４の他方の端子は、共通電圧Ｖｃｏｍの供給端子に接続される。なお、ゲート線２４１は、ゲートドライバ（不図示）に接続される。なお、図１の液晶パネル１０２は、図面の簡略化のため、１つの走査線分のＴＦＴと画素容量のみを示しており、図示しない領域に同様の構成が複数あるものとする。
【００１６】
出力アンプ１１１〜１１４は、それぞれ出力スイッチ１２１〜１２４を経てデータ線２３１〜２３４に接続される。なお、出力アンプ１１１〜１１４からデータ線２３１〜２３４へ出力された電圧が、画素容量２２１〜２２４に印加され、その電圧に応じて各画素の透過率が変化する。
【００１７】
出力スイッチ１２１〜１２４は、外部から入力されるライン出力信号ＬＯに応じてオン、オフが制御される。例えば、ライン出力信号ＬＯがハイレベルのときオフ、ロウレベルのときオンとなる。
【００１８】
電荷回収スイッチ１３１〜１３４の一方の端子がそれぞれデータ線２３１〜２３４に接続され、また他方の端子がそれぞれ共通線１９１に接続される。この電荷回収スイッチ１３１〜１３４のオン、オフは後述する制御回路１７１、１７２により制御される。
【００１９】
奇数スイッチ１４１、１４２は、それぞれ奇数共通線１９３とデータ線２３１、２３３との間に接続される。奇数スイッチ１４１、１４２は、ライン出力信号ＬＯに応じてオン、オフが制御される。例えば、奇数スイッチ１４１、１４２は、ライン出力信号ＬＯがハイレベルのときオン、ロウレベルのときオフとなる。
【００２０】
偶数スイッチ１５１、１５２は、それぞれ偶数共通線１９２とデータ線２３２、２３４との間に接続される。偶数スイッチ１５１、１５２は、ライン出力信号ＬＯに応じてオン、オフが制御される。例えば、偶数スイッチ１５１、１５２は、ライン出力信号ＬＯがハイレベルのときオン、ロウレベルのときオフとなる。
【００２１】
コンパレータ１６１（比較部）は、一方の入力端子が極性切替スイッチ１８０と、他方の入力端子が奇数共通線１９３と、出力端子が制御回路１７１と接続される。コンパレータ１６２（比較部）は、一方の入力端子が極性切替スイッチ１８０と、他方の入力端子が偶数共通線１９２と、出力端子が制御回路１７２と接続される。
【００２２】
極性切替スイッチ１８０は、基準電圧Ｖ１、Ｖ２が入力され、切替信号に応じて基準電圧Ｖ１、Ｖ２の一方がコンパレータ１６１へ出力され、基準電圧Ｖ１、Ｖ２の他方がコンパレータ１６２へ出力される。
【００２３】
ここで、奇数出力のデータ線２３１、２３３、偶数出力のデータ線２３２、２３４の極性に応じて、切替信号が極性切替スイッチ１８０を制御する。
【００２４】
例えば、奇数出力（データ線２３１、２３３）の極性が正極、偶数出力（データ線２３２、２３４）の極性が負極の場合、コンパレータ１６１に基準電位Ｖ１、コンパレータ１６２に基準電位Ｖ２を供給するよう、切替信号により極性切替スイッチ１８０が制御される。反対に奇数出力（データ線２３１、２３３）の極性が負極、偶数出力（データ線２３２、２３４）の極性が正極の場合、コンパレータ１６１に基準電位Ｖ２、コンパレータ１６２に基準電位Ｖ１が供給するよう、切替信号により極性切替スイッチ１８０が制御される。
【００２５】
基準電圧Ｖ１は、正極レベルの基準電位（正極基準電圧）、例えば３／４ＶＤＤである。基準電圧Ｖ２は、負極レベルの基準電位（負極基準電圧）、例えば１／４ＶＤＤである。なお、基準電圧Ｖ１は、データ線２３１〜２３４が全て共通線１９１に接続され電位が平均化された場合の平均電圧Ｖｃｏｍ（例えば１／２ＶＤＤ）より高く、基準電圧Ｖ２は平均電圧Ｖｃｏｍより低いものであればよい。
【００２６】
制御回路１７１は、コンパレータ１６１の出力信号と、ライン出力信号ＬＯが入力され、電荷回収スイッチ１３１、１３３のオン、オフを制御する制御信号を出力する。制御回路１７２は、コンパレータ１６２の出力信号と、ライン出力信号ＬＯが入力され、電荷回収スイッチ１３２、１３４のオン、オフを制御する制御信号を出力する。制御回路１７１、１７２はライン出力信号ＬＯがハイレベルのとき、それぞれコンパレータ１６１、１６２の出力信号に応じて電荷回収スイッチ１３１〜１３４のオン、オフを制御する。ライン出力信号ＬＯがロウレベルのときは、コンパレータ１６１、１６２の出力信号に関係なく電荷回収スイッチ１３１〜１３４を強制的にオフにする。
【００２７】
ここで、コンパレータ１６１と制御回路１７１の制御の一例を示す。なお、ライン出力信号ＬＯがハイレベルであるとする。
【００２８】
コンパレータ１６１に正極の基準電位Ｖ１が入力されている場合であって、データ線２３１、２３３の電位がＶ１より高いときには、電荷回収スイッチ１３１、１３３をオンにする制御信号を制御回路１７１が出力する。また、データ線２３２の電位がＶ１より低いときに電荷回収スイッチ１３１、１３３をオフにする制御信号を制御回路１７１が出力する。
【００２９】
コンパレータ１６１に負極の基準電位Ｖ２が接続されている場合であって、データ線２３１、２３３の電位がＶ２より低いときには、電荷回収スイッチ１３１、１３３をオンにする制御信号を制御回路１７１が出力する。また、データ線２３１の電位がＶ２より高いときに電荷回収スイッチ１３１、１３３をオフにする制御信号を制御回路１７１が出力する。
【００３０】
また、コンパレータ１６２と制御回路１７２により電荷回収スイッチ１３２、１３４も同様な制御が行われる。よって結果的に、奇数出力（データ線２３１、２３３）に接続されている電荷回収スイッチ１３１、１３３がライン出力信号ＬＯと制御回路１７１に制御され、偶数出力（データ線２３２、２３４）に接続されている電荷回収スイッチ１３２、１３４がライン出力信号ＬＯと制御回路１７２に制御されている。
【００３１】
上記構成の実施の形態1のデータ線駆動回路１０１の動作を、図２を参照して説明する。図２は、データ線駆動回路１０１の１フレーム間のタイミングチャートである。なお、ここでは偶数出力（データ線２３２、２３４）の極性が正極、奇数出力（データ線２３１、２３３）の極性が負極の場合を説明する。つまり、コンパレータ１６１に基準電圧Ｖ２、コンパレータ１６２に基準電圧Ｖ１が接続されている。
【００３２】
まず、ライン出力信号ＬＯがハイレベルとなったとき（図２中の期間Ａ）の動作の説明を行う。最初に動作１として、ライン出力信号ＬＯがハイレベルとなるため、出力スイッチ１２１〜１２４がオフとなり、全てのデータ線２３１〜２３４は出力アンプ１１１〜１１４から切り離される。更に、奇数スイッチ１４１、１４２がオンとなる。このため、データ線２３１、２３３が奇数共通線１９３に接続される。同様に偶数スイッチ１５１、１５２がオンとなる。このため、データ線２３２、２３４が偶数共通線１９２に接続される。
【００３３】
このとき、偶数出力の電荷回収スイッチ１３２、１３４は、正極の基準電位Ｖ１より偶数共通線１９２に接続されたデータ線２３２、２３４の電位が高いのでオンとなる。奇数出力の電荷回収スイッチ１３１、１３３は、負極の基準電位Ｖ２より奇数共通線１９２に接続されたデータ線２３１、２３３の電位が低いのでオンとなる。これにより、全てのデータ線２３１〜２３４は短絡され電位の平均化を始める。
【００３４】
次に動作２として、偶数共通線１９２に接続された偶数出力のデータ線２３２、２３４の電位が正極の基準電位Ｖ１より低くなった場合、偶数出力のデータ線２３２、２３４に接続されている電荷回収スイッチ１３２、１３４がオフとなる。奇数共通線１９２に接続された奇数出力のデータ線２３１、２３３の電位が負極の基準電位Ｖ２より高くなった場合、奇数出力のデータ線２３１、２３３に接続されている電荷回収スイッチ１３１、１３３がオフとなる。
【００３５】
次に動作３として、偶数出力の電荷回収スイッチ１３２、１３４がオフした時、偶数共通線１９２に接続されたデータ線２３２、２３４においてデータ線駆動回路１０１から近端の電位は、基準電位Ｖ１より低くなっている。しかし、そのデータ線２３２、２３４においてデータ線駆動回路１０１から遠端の電位は時定数により同電位まで追従しておらず、基準電位Ｖ１より高い。よって、データ線２３２、２３４の近端と遠端で電位の平均化を始める。同様に、奇数出力の電荷回収スイッチ１３１、１３３がオフした時、奇数共通線１９２に接続されたデータ線２３１、２３３において電荷回収スイッチ１３１、１３３の近端の電位は基準電位Ｖ２より高くなっている。しかし、そのデータ線２３１、２３３において電荷回収スイッチ１３１、１３３の遠端の電位は時定数により同電位まで追従しておらず、基準電位Ｖ２より低い。よって、データ線２３１、２３３の近端と遠端で電位の平均化を始める。
【００３６】
次に動作４として、偶数出力のデータ線２３２、２３４の近端、遠端で電位の平均化が行われ、偶数共通線１９２に接続されたデータ線２３２、２３４の電位が基準電位Ｖ１より高くなり、再び電荷回収スイッチ１３２、１３４がオンとなる。同様に、奇数出力のデータ線２３１、２３３の近端、遠端で電位の平均化が行われ、奇数共通線１９２に接続されたデータ線２３１、２３３の電位が基準電位Ｖ２より低くなり、再び電荷回収スイッチ１３１、１３３がオンとなる。
【００３７】
以後、動作２〜３を繰り返していくことにより、図２に示すように偶数出力では偶数共通線１９２に接続されたデータ線２３２、２３４の電位を正極の基準電位レベルＶ１（３／４ＶＤＤ）に、奇数出力では奇数共通線１９２に接続されたデータ線２３１、２３３の電位を負極の基準電位レベルＶ２（１／４ＶＤＤ）に近づけていくことができる。
【００３８】
以上が、ライン出力信号ＬＯがハイレベルとなったとき（図２中の期間Ａ）の動作の説明である。なお、偶数出力（データ線２３２、２３４）の極性が負極、奇数出力（データ線２３１、２３３）の極性が正極の場合であっても、各出力の極性に応じて同様の動作となる。
【００３９】
次に、ライン出力信号ＬＯがロウレベルとなったとき（図２中の期間Ｂ）の動作の説明をおこなう。外部から供給されるライン出力信号ＬＯが、ロウレベルのとき（期間Ｂ）、出力スイッチ１２１〜１２４がオンとなる。また、電荷回収スイッチ１３１〜１３４、奇数スイッチ１４１、１４２、偶数スイッチ１５１、１５２がオフとなる。よって、出力アンプ１１１〜１１４よりデータ線２３１〜２３４を経て各画素容量２２１へ階調電圧が書き込まれる。
【００４０】
これ以降の期間Ａ、Ｂは次の走査線のため動作期間となり、１フレームの間、上記と同様の動作が他の走査線において繰り返される。なお、説明の簡略化のため図２では出力アンプの出力電位が正極出力のデータ線の全ての走査線において３／４ＶＤＤ以上の書き込み電圧としている。負極出力のデータ線も同様に１／４ＶＤＤ以下の書き込み電圧としている。
【００４１】
上記動作の説明で示したように、本実施の形態１のデータ線駆動回路１０１は、データ線２３２、２３４とデータ線２３１、２３３とが接続される電荷回収時の電圧レベル（以下、電荷回収レベルと称す）を、正極出力ではデータ線の電位をＶ１（３／４ＶＤＤ）レベルに、負極出力ではデータ線の電位をＶ２（１／４ＶＤＤ）レベルにする。
【００４２】
カラム反転駆動では各走査線において1フレームの間、正極出力のデータ線はＶＤＤ〜１／２ＶＤＤの範囲、負極出力のデータ線は１／２ＶＤＤ〜ＧＮＤの範囲で動作する。このため、出力アンプが駆動する電圧は、正極出力のデータ線の場合、３／４ＶＤＤを中心として最大で１／４ＶＤＤの範囲、負極出力のデータ線の場合、１／４ＶＤＤを中心として最大で１／４ＶＤＤの範囲でよい。つまり、出力アンプが駆動する電圧の範囲の最大値が正極側、負極側共に１／４ＶＤＤとなる。このため、従来と比較して出力アンプが駆動する電圧の範囲が半分となり、ＬＣＤパネルを駆動する際のチップ消費電力を大きく削減することができる。さらに、駆動電圧の範囲が小さいことによる効果として、回路の出力遅延時間の高速化、及び、ばらつきの低減、ＥＭＩノイズの低減、チップ発熱の低減等を得ることができる。
【００４３】
なお、図１の回路構成からわかるように、電荷回収レベルを基準電圧Ｖ１、Ｖ２の値を変えることで任意に設定可能である。しかしながら、上述したが基準電圧Ｖ１は正極のデータ線の駆動範囲の中央値である３／４ＶＤＤレベル、基準電圧Ｖ２は負極のデータ線の駆動範囲の中央値である１／４ＶＤＤレベルに設定することが好ましい。
【００４４】
発明の実施の形態２
以下、本発明を適用した具体的な実施の形態２について、図面を参照しながら詳細に説明する。この実施の形態２は、実施の形態１と同様、本発明を液晶表示装置のデータ線駆動回路に適用したものである。図３に本実施の形態にかかる液晶表示装置１００のデータ線駆動回路１０３の構成の一例を示す。なお、実施の形態１と同一符号のものは同様の構成であるため説明は省略する。
【００４５】
図３に示すように、液晶表示装置１００のデータ線駆動回路１０３は、出力アンプ１１１〜１１４と、出力スイッチ１２１〜１２４と、電荷回収スイッチ３３１、３３２と、奇数スイッチ１４１、１４２と、偶数スイッチ１５１、１５２と、制御回路１７１と、コンパレータ１６１と、接続切替スイッチ３８０とを有する。
【００４６】
実施の形態１のデータ線駆動回路１０１との違いは、電荷回収スイッチ３３１、３３２と、接続切替スイッチ３８０と、その接続構成である。よって、ここではその点を中心に説明する。
【００４７】
電荷回収スイッチ３３１は、データ線２３１と２３２との間に接続される。また、電荷回収スイッチ３３２は、データ線２３３と２３４との間に接続される。電荷回収スイッチ３３１、３３２は、制御回路１７１の出力する制御信号によりオン、オフが制御される。
【００４８】
接続切替スイッチ３８０は、偶数共通線１９２及び奇数共通線１９３と、コンパレータ１６１の入力端子間に接続されている。接続切替スイッチ３８０は、切替信号に応じて奇数出力（データ線２３１、２３３）の極性が正極の場合、コンパレータ１６１の入力端子と、奇数共通線１９３とを接続する。反対に、偶数出力（データ線２３２、２３４）の極性が正極の場合、コンパレータ１６１の入力端子と、偶数共通線１９２とを接続する。
【００４９】
コンパレータ１６１（比較部）は、一方の入力端子に正極レベルの電圧、例えば３／４ＶＤＤレベルの基準電圧Ｖ１の供給端子が接続され、他方の入力端子に接続切替スイッチ３８０が接続される。
【００５０】
上述したように接続切替スイッチ３８０は、極性が正極のデータ線とコンパレータ１６１を接続する。このため、結果的にコンパレータ１６１は、正極のデータ線の電位と基準電圧Ｖ１との比較結果を制御回路１７１へ出力信号として出力する。
【００５１】
制御回路１７１は、コンパレータ１６１の出力信号と、データ線駆動回路１０３の外部からのライン出力信号ＬＯとが入力される。コンパレータ１６１の出力信号とライン出力信号ＬＯに応じた制御信号を電荷回収スイッチ３３１、３３２へ出力する。
【００５２】
上記のような構成により、コンパレータ１６１と制御回路１７１は、基準電位Ｖ１よりデータ線２３１及び２３３、もしくはデータ線２３２及び２３４の電圧が高い場合、電荷回収スイッチ３３１、３３２をオンとする制御をおこなう。
【００５３】
上記構成の実施の形態２のデータ線駆動回路１０３の動作を説明する。なお、ここでは偶数出力（データ線２３２、２３４）の極性が正極、奇数出力（データ線２３１、２３３）の極性が負極の場合を説明する。つまり、コンパレータ１６１には正極レベルの基準電圧Ｖ１の供給端子と、接続切替スイッチ３８０を経由して偶数共通線１９２が接続される。
【００５４】
まず、ライン出力信号ＬＯがハイレベルとなったときの動作の説明を行う。最初に動作１として、ライン出力信号ＬＯがハイレベルとなるため、出力スイッチ１２１〜１２４がオフとなり、全てのデータ線２３１〜２３４は出力アンプ１１１〜１１４から切り離される。更に、奇数スイッチ１４１、１４２がオンとなる。このため、データ線２３１、２３３が奇数共通線１９３に接続される。同様に偶数スイッチ１５１、１５２がオンとなる。このため、データ線２３２、２３４が偶数共通線１９２に接続される。
【００５５】
このとき、電荷回収スイッチ３３１、３３２は、正極の基準電圧Ｖ１より、偶数共通線１９２に接続された偶数出力のデータ線２３２、２３４の電位が高いためオンとなる。これにより、全てのデータ線２３１〜２３４は短絡され電位の平均化を始める。
【００５６】
次に動作２として、偶数出力のデータ線２３２、２３４の電位が正極の基準電位Ｖ１より低くなった場合、電荷回収スイッチ３３１、３３２がオフとなる。
【００５７】
次に動作３として、電荷回収スイッチ３３１、３３２がオフした時、偶数共通線１９２に接続されたデータ線２３２、２３４においてデータ線駆動回路１０３から近端の電位は基準電位Ｖ１より低くなっている。しかし、データ線２３２、２３４においてデータ線駆動回路１０３から遠端の電位は時定数により同電位まで追従しておらず、基準電位Ｖ１より高い。よって、データ線２３２、２３４の近端と遠端で電位の平均化を始める。
【００５８】
次に動作４として、偶数出力のデータ線２３２、２３４の近端、遠端で電位の平均化が行われ、偶数共通線１９２に接続されたデータ線２３２、２３４の電位が基準電位Ｖ１より高くなり、再び電荷回収スイッチ３３１、３３２がオンとなる。
【００５９】
以後、動作２〜３を繰り返していくことにより、偶数共通線１９２に接続された偶数出力のデータ線２３２、２３４の電位を正極の基準電位レベルＶ１（３／４ＶＤＤ）に近づけていく。また、奇数出力のデータ線２３１、２３３の電位を、１／２ＶＤＤと正極の基準電位Ｖ１との電位差を１／ＶＤＤから引いた電位レベルに近づけていく（結果的に１／４ＶＤＤに近づく）。
【００６０】
本実施の形態２のタイミングチャートは、図２の実施の形態１のものと同様であるため省略する。
【００６１】
次に、ライン出力信号ＬＯがロウレベルとなったときの動作の説明をおこなう。外部から供給されるライン出力信号ＬＯが、ロウレベルのとき、出力スイッチ１２１〜１２４がオンとなる。また、電荷回収スイッチ３３１、３３２、奇数スイッチ１４１、１４２、偶数スイッチ１５１、１５２がオフとなる。よって、出力アンプ１１１〜１１４よりデータ線２３１〜２３４を経て各画素容量へ階調電圧が書き込まれる。
【００６２】
以上の動作の説明から本実施の形態２のデータ線駆動回路１０３は、実施の形態１のデータ線駆動回路１０１と同様の動作結果を得ることができる。
【００６３】
以上のような説明により、本実施の形態２のデータ線駆動回路１０３でも実施の形態１のデータ線駆動回路１０１と同様な結果と効果を得ることができる。更に、実施の形態１よりもコンパレータ、制御回路、配線等を減らすことができる利点を有する。
【００６４】
なお、本発明は上記実施の形態に限られたものでなく、趣旨を逸脱しない範囲で適宜変更することが可能である。例えば、実施の形態２のデータ線駆動回路１０３の構成において、コンパレータ１６１に入力される基準電圧を負極レベルのＶ２（１／４ＶＤＤ）としてもよい。この場合、基準電圧がＶ１からＶ２に変わり、コンパレータの判定レベルが負極レベルとなっただけであるため、基本的な動作は実施の形態２と同様である。また、効果としても同様のものが得られる。ただし、接続切替スイッチ３８０は、コンパレータ１６１と負極のデータ線の共通線を接続するものとする。
【図面の簡単な説明】
【００６５】
【図１】実施の形態１にかかるデータ駆動回路を有する液晶表示装置の構成である。
【図２】実施の形態１にかかるデータ駆動回路の動作のタイミングチャートである。
【図３】実施の形態２にかかるデータ駆動回路を有する液晶表示装置の構成である。
【図４】従来のデータ駆動回路の構成である。
【符号の説明】
【００６６】
１００  液晶表示装置
１０１  データ線駆動回路
１０２  液晶パネル
１１１〜１１４  アンプ
１２１〜１２４  出力スイッチ
１３１〜１３４  電荷回収スイッチ
１４１、１４２  奇数スイッチ
１５１、１５２  偶数スイッチ
１６１、１６２  コンパレータ
１７１、１７２  制御回路
１８０  極性切替スイッチ
１９１  共通線
１９２  偶数共通線
１９３  奇数共通線
２１１  ＴＦＴ
２２１  画素容量
２３１〜２３４  データ線
【図１】
2010091699.tif 000003
【図２】
2010091699.tif 000004
【図３】
2010091699.tif 000005
【図４】
2010091699.tif 000006